(57)【要約】【課題】建築物、特にビルの外壁の表面処理としては、被処理表面にそのまま塗装を施す、そのまま吹付材を吹き付ける、貼った化粧板を剥がして新しいものを貼る等の方法がある。化粧板の貼り替えは、時間も費用もかかり簡単にはできない。また、吹付材をそのまま吹き付けるのも接着の問題や荷重の問題がある。被施工面にそのまま塗装をする方法は比較的簡単で荷重の問題もないが、どうしても単色であり外観が単調になる。現在、単に１色で外壁を塗布することはまづない。そこで、簡単に施工でき、しかも接着や荷重に問題がなく、美観としても優れた表面処理方法を提供する。【解決手段】建築物又はその素材の表面処理方法であって、被施工面に接着剤を塗布し、その上に印刷フィルムを印刷面を下にして貼付し、塗料を接着剤側に残して該フィルムを剥離するもの。【選択図】  図１
2008150837.tif 000002
【特許請求の範囲】
【請求項１】
建築物又はその素材の表面処理方法であって、被施工面に接着剤を塗布し、その上に印刷フィルムを印刷面を下にして貼付し、塗料を接着剤側に残して該フィルムを剥離することを特徴とする表面処理方法。
【請求項２】
建築物又はその素材の表面処理方法であって、被施工面に下地を隠蔽する隠蔽剤を塗布し、次いで接着剤を塗布し、その上に印刷フィルムを印刷面を下にして貼付し、塗料を接着剤側に残して該フィルムを剥離することを特徴とする表面処理方法。
【請求項３】
該隠蔽剤と該接着剤が１剤となっているものである請求項１記載の表面処理方法。
【請求項４】
建築物又はその素材の表面処理方法であって、被施工面に塗布材によって凹凸を設け、次いで下地を隠蔽する隠蔽剤を塗布し、更に接着剤を塗布し、その上に印刷フィルムを印刷面を下にして貼付し、塗料を接着剤側に残して該フィルムを剥離することを特徴とする表面処理方法。
【請求項５】
該印刷面の塗料は、凹凸に追従する柔軟性を有するものである請求項１〜４記載の表面処理方法。
【請求項６】
該フィルムの剥離は、カッター等でフィルムに切れ目を入れその部分から剥離するものである請求項４又は５記載の表面処理方法。
【請求項７】
該フィルムの剥離は、フィルムに接着テープを貼り、そのテープとともにフィルムを剥離するものである請求項４〜６記載の表面処理方法。
【発明の詳細な説明】
【技術分野】
【０００１】
本発明は、建築物又はその素材の表面処理方法に関するものである。
【背景技術】
【０００２】
建築物、特にビルの外壁は、長期間の使用により表面が汚れたときに美化したい場合、又は販売や業種を変えるため外観を変えたい場合等では、表面処理を行なっている。
表面処理としては、被処理表面にそのまま塗装を施す、そのまま吹付材を吹き付ける、貼った化粧板を剥がして新しいものを貼る等の方法がある。化粧板の貼り替えは、時間も費用もかかり簡単にはできない。また、吹付材をそのまま吹き付けるのも接着の問題や荷重の問題がある。
【０００３】
被施工面にそのまま塗装をする方法は比較的簡単で荷重の問題もないが、どうしても単色であり外観が単調になる。現在、単に１色で外壁を塗布することはまづない。
【発明の開示】
【発明が解決しようとする課題】
【０００４】
そこで、簡単に施工でき、しかも接着や荷重に問題がなく、美観としても優れた表面処理方法を提供する。
【課題を解決するための手段】
【０００５】
以上のような現状に鑑み、本発明者は鋭意研究の結果本発明表面処理方法を完成したものであり、その特徴とするところは、建築物又はその素材の表面処理方法であって、被施工面に接着剤を塗布し、その上に印刷フィルムを印刷面を下にして貼付し、塗料を接着剤側に残して該フィルムを剥離する点にあり、他の態様では、建築物又はその素材の表面処理方法であって、被施工面に下地を隠蔽する隠蔽剤を塗布し、次いで接着剤を塗布し、その上に印刷フィルムを印刷面を下にして貼付し、塗料を接着剤側に残して該フィルムを剥離する点にあり、更に他の態様では、建築物又はその素材の表面処理方法であって、被施工面に塗布材によって凹凸を設け、次いで下地を隠蔽する隠蔽剤を塗布し、更に接着剤を塗布し、その上に印刷フィルムを印刷面を下にして貼付し、塗料を接着剤側に残して該フィルムを剥離する点にある。
【０００６】
ここでいう建築物とは、ビルその他の家屋、高速道路や橋梁の橋脚、塀、柱、その他のもの。被施工面の材質もコンクリート、吹付材、その他どのようなものでもよい。
更に、それら建築物そのものではなく、それらに使用する素材であってもよい。例えば、壁面に貼付する板材、ブロック、パネル等である。
【０００７】
まず第１の態様では、被施工面に接着剤を塗布する。このときに従来必ず行なっていた表面平滑化が不要である。本発明では下地の凹凸はまったく無視して行なえるのが特徴である。
よって、被施工面に直接そのまま接着剤をローラー等で塗布する。接着剤もタイル等を貼付するときのように多量に塗布する必要はない。非常に薄く塗布するだけで十分である。この接着剤はどのようなものでもよくいわゆる粘着剤でもよい。粘着テープのような感圧性のものでも、溶剤揮発タイプでも、その他どのようなものでもよい。
【０００８】
この接着剤層の上に印刷フィルムを貼付する。この印刷フィルムは、基材フィルムと印刷層を有している。
基材フィルムとは、完成後除去するものであり、材質は紙等何でもよいが、プラスチックが好適である。例えば、ポリエステル、ＰＥ（ポリエチレン）、ＰＰ（ポリプロピレン）等どのようなものでもよい。しかし、貼付その他の取り扱いの容易性から、比較的こしのある厚いものがよい。また、ロール巻き保管、運送するため、ロール巻きできる程度の柔軟性も有していた方がよい。厚みとしては、０．１〜０．５ｍｍ程度が好適である。また、後述する模様が見えるように透明が好ましい。
【０００９】
この基材フィルムに印刷層を設ける。これは、単に印刷するだけでよい。勿論、将来剥離するため、剥離可能に印刷しなければならない。基材フィルム自体が、接着性のほとんどないものの場合は特別な処理は不要であるが、接着性のある基材フィルムの場合は剥離処理した上に印刷するのがよい。
【００１０】
また、被施工面の凹凸に追従するため、塗料自体も柔軟性がありある程度伸縮するものである。例えば、ビヒクルがアクリルウレタン系のもの等である。印刷も施したフィルムはある程度伸縮するものでその中に含まれる顔料は外壁で使用されることを考慮し、無機顔料を使用することが望ましい。
印刷は、通常のグラビア印刷等でよく、このため非常に細かい模様の表現できるのである。例えば、自然石の模様、木目調、植物模様、その他の景色模様、まったくの人工図柄等である。勿論、単なる１色のような単純なものでも構わない。
【００１１】
この印刷層と基材フィルムの間に保護層を設けてもよい。最終的に、この保護層と基材フィルム間で剥離し、印刷層の保護の役目を果たすものである。これを設けておけば、後述するトップコートを行なわなくてもよい。
この保護層は通常透明であるが、フィルムを基材フィルムに貼付して設けても、基材フィルムに膜形成樹脂を塗布して設けてもよい。
【００１２】
このフィルムを貼付した後、印刷塗料を被施工面に残して基材フィルムを剥離する。これは、端から手で剥離してもよいが、カッター等でフィルムに切れ目を入れその部分から剥離するようにしてもよい。また、剥離し難い場合には、その上に接着テープを貼り、それに基材フィルムを接着して剥離してもよい。
【００１３】
基材フィルムを剥離すれば完成であるが、印刷塗料の保護のためトップコートを施してもよい。これは透明又は半透明の樹脂（フッ素系樹脂やシリコン系樹脂が好適である）を塗布するだけでよい。
【００１４】
本発明の他の態様として、最初に被施工面に下地を隠蔽する隠蔽剤を塗布する方法もある。これは、例えば下地がひどく汚れている場合、色が濃い場合、更に表面を薄い色にしたい場合等では、そのままではどうしても下地の色が見えることが多い。よって、接着剤を塗布する前に下地の色を隠蔽するための塗料を塗布する。これは、白色系が好適であるが、その他の色でもよい。
【００１５】
この隠蔽剤は完全に１色でも、複数色を不完全に混合して模様状にして塗布してもよい。材質は自由である。単なる塗料でも吹付材でもよい。そして、接着剤をこの上に塗布するのである。その後は上記方法と同様である。
【００１６】
また、これとは別にこの隠蔽剤と接着剤が１剤になったものを使用すれば塗布工程が１度で済む。このようなものとしては接着剤に顔料を混合したようなものでも、隠蔽剤に接着剤を混合して塗布してもよい。単なる塗料でも接着力はあるため、すぐに印刷フィルムを塗布すれば同様の効果が得られる。
【００１７】
更に、本発明では、前記した隠蔽剤を塗布材とし、その塗布材によって表面に凹凸を設けてもよい。ここでいう塗布材は、樹脂モルタルやセメントモルタル等をいう。これを吹き付けたり、ローラーやコテで塗布して凹凸を出すのである。目地材や型部材を用いて施工してもよい。
【００１８】
このように隠蔽材で凹凸を設けて施工すれば、施工前の外観とは大きく異なったものになる。数ｍｍ程度の凹凸ならば十分に追従する印刷塗料である。
【発明の効果】
【００１９】
本発明処理方法には、次のような大きな利点がある。
(１)  被施工面に予め下地処理する必要がない。
(２)  直接接着剤を塗布するか、隠蔽剤を塗布してからするだけでよい。
(３)  また、単に建造物に貼付する方法では、簡単に表面化粧ができ手間が掛からない。
(４)  フィルムの塗料が柔軟性を有しているため、凹凸面にも簡単に施工ができる。
【発明を実施するための最良の形態】
【００２０】
次に図面に示す実施の形態に基づき本発明をより詳細に説明する。
【実施例】
【００２１】
図１は、本発明の処理方法の１例を示す工程図である。図１（ａ）は、被施工面１（ここではビルの古くなった外壁）の部分断面図である。図１（ｂ）は、被施工面に隠蔽剤２を塗布したところである。この例では、隠蔽剤として白色のウレタン系樹脂モルタルを使用し、厚み約１〜２ｍｍ塗布した。
【００２２】
図１（ｃ）は、その隠蔽剤２の上に接着剤３を塗布したところである。これはローラーで薄く塗布した。図１（ｄ）は、接着剤が乾く前に印刷フィルム４を印刷面Ｐを下にして貼ったところである。このフィルムは、厚みが０．２ｍｍのポリエチレンフィルムに柔軟なビヒクルを使用して印刷したものである。
【００２３】
図１（ｅ）は、このフィルム４を印刷層は残して剥離しているところである。印刷層とフィルムはすぐに剥離するよう構成されている。図１（ｆ）は、その印刷層の上からトップコート５したところである。これで印刷層は十分に保護されることになる。
【００２４】
図２（ａ）は、被施工面１に隠蔽剤２を凹凸状に塗布したところである。この例では凹凸の形状は「こたたき」風にしている。図２（ｂ）は、凹凸面上に接着剤３を塗布し、更に印刷フィルムを貼付し、それを剥離した後トップコートしたものである。
【図面の簡単な説明】
【００２５】
【図１】本発明の処理方法の１例を示す工程図である。
【図２】本発明の処理方法の他の例を示す工程図である。
【符号の説明】
【００２６】
１  被施工面
２  隠蔽剤
３  接着剤
４  印刷フィルム
５  トップコート
Ｐ  印刷面
【図１】
2008150837.tif 000003
【図２】
2008150837.tif 000004